(57)【特許請求の範囲】
【請求項１】
原稿台上に設置されている先の原稿を１ページごとの画像データとして読み取り、前記先の原稿を読み取り後、さらに原稿台上に設置された追加原稿も１ページごとの画像データとして読み取る画像データ読取手段と、
前記画像データ読取手段が読み取った先の原稿および追加原稿のページ数を計数する計数手段と、
前記画像データ読取手段によって追加原稿の画像データが読み取られる場合、前記計数手段によって計数されたページ数がステープル可能なページ数の最大枚数であるステープルマックスに達しているかどうかを判断する判断手段と、
前記画像データ読取手段によって読み取られた画像データを格納する画像データ格納手段と、
前記画像データ格納手段に格納されている画像データを印刷出力する印刷手段と、を備え、
前記印刷手段は、前記追加原稿の読み取りがされているときに、前記判断手段が前記計数手段によって計数されたページ数がステープルマックスに達していると判断した場合、前記先の原稿およびステープルマックスに達する前までの前記追加原稿は印刷し、ステープルマックスに達した後の前記追加原稿の画像データは印刷しないことを特徴とする画像形成装置。
【請求項２】
前記判断手段が前記計数手段によって計数されたページ数がステープルマックスに達していると判断した場合、前記画像データ読取手段によって読み取られた追加原稿の画像データを前記画像データ格納手段から削除する削除手段をさらに備えたことを特徴とする請求項１記載の画像形成装置。
【請求項３】
前記判断手段が前記計数手段によって計数されたページ数がステープルマックスに達していると判断した場合、前記画像データ格納手段に格納されている先の原稿および追加原稿の全ての画像データを削除するかどうかの指示入力を促す指示入力手段をさらに備え、
前記削除手段は、前記指示入力手段によって全画像データを削除すると指示入力された場合、前記画像データ格納手段に格納されている先の原稿および追加原稿の全ての画像データを削除することを特徴とする請求項２記載の画像形成装置。
【発明の詳細な説明】
【０００１】
【発明の属する技術分野】
本発明は、読み込まれたことによりすでに確定している原稿画像に対し、さらに原稿画像を追加することができるファクシミリ装置、ディジタル複写機、ディジタル複合機などの画像形成装置に関する。
【０００２】
【従来の技術】
近年、様々な機能を有するファクシミリ装置、ディジタル複合機、ディジタル複写機などの画像形成装置が広く利用されている。特に、ディジタル複写機においてのメリット（利点）は原稿の読み取り早さと原稿離れの良さにある。ディジタル複写機では、読み取り済みの原稿画像は必要に応じて画像破棄するまで、ハードディスクなどのメモリに蓄積されるので、複数の印刷部数設定に対して一度の読み取り動作しか必要としない。通常のコピーであれば、原稿画像の読み取り完了後、設定された部数の印刷を実行し、不要となった原稿画像を破棄し、次のコピー動作に備えることができる。
ところで、ディジタル複写機は様々な原稿読み取りモードを有している。例えば、原稿台に積載できないような多量の原稿を少数の原稿束に分割し、読み込み動作を行う大量原稿モードがある。この大量原稿モードの場合、ユーザによって操作部キーなどが押下され、原稿の終了が指示されることにより、ディジタル複写機は原稿群の終了を認識するようになっている。これに対し、既に確定された原稿束、すなわち読み込まれてメモリに原稿画像として蓄積された原稿束に対して、後から別の原稿画像を追加する原稿追加モードもある。
【０００３】
【発明が解決しようとする課題】
しかしながら、原稿追加モードのディジタル複写機に印刷結果をステープルするという設定がされている場合、追加する原稿画像をメモリ内に挿入し、追加した結果、全ての原稿画像の印刷結果がステープルマックス枚数を超えてしまい、ステープル不可となってしまうことがある。これにより、ユーザが希望する印刷仕上がりとならなくなってしまう場合がある。
そこで、本発明の第１の目的は、全原稿の読み取り完了後の原稿画像追加中にステープルマックスを検知した場合に追加した原稿画像を破棄または印刷しないようにすることにより、原稿画像追加によって仕上がりが異なってしまうことを防止し、ユーザに対してもミスコピーを容易に発生させないようにすることができる画像形成装置を提供することである。
本発明の第２の目的は、全原稿の読み取り完了後の原稿画像追加中にステープルマックスを検知した場合、追加した原稿画像を破棄し、再度追加原稿読み込み可能な状態にすることで、原稿画像追加によって仕上がりが異ならないような範囲で原稿追加を容易に行うことができる画像形成装置を提供することである。
本発明の第３の目的は、原稿画像の追加読み取りした結果、ステープルマックスとなってしまい、ステープルができなくなった場合、最初から原稿を読み直す警告を表示して促すことにより、ユーザの選択肢を増やし、ミスコピーを防止することができる画像形成装置を提供することである。
【０００４】
【課題を解決するための手段】
請求項１記載の発明では、原稿台上に設置されている先の原稿を１ページごとの画像データとして読み取り、前記先の原稿を読み取り後、さらに原稿台上に設置された追加原稿も１ページごとの画像データとして読み取る画像データ読取手段と、前記画像データ読取手段が読み取った先の原稿および追加原稿のページ数を計数する計数手段と、前記画像データ読取手段によって追加原稿の画像データが読み取られる場合、前記計数手段によって計数されたページ数がステープル可能なページ数の最大枚数であるステープルマックスに達しているかどうかを判断する判断手段と、前記画像データ読取手段によって読み取られた画像データを格納する画像データ格納手段と、前記画像データ格納手段に格納されている画像データを印刷出力する印刷手段と、を備え、前記印刷手段は、前記追加原稿の読み取りがされているときに、前記判断手段が前記計数手段によって計数されたページ数がステープルマックスに達していると判断した場合、前記先の原稿およびステープルマックスに達する前までの前記追加原稿は印刷し、ステープルマックスに達した後の前記追加原稿の画像データは印刷しないことにより、前記第１の目的を達成する。
【０００５】
請求項２記載の発明では、請求項１記載の発明において、前記判断手段が前記計数手段によって計数されたページ数がステープルマックスに達していると判断した場合、前記画像データ読取手段によって読み取られた追加原稿の画像データを前記画像データ格納手段から削除する削除手段をさらに備えたことにより、前記第２の目的を達成する。
請求項３記載の発明では、請求項２記載の発明において、前記判断手段が前記計数手段によって計数されたページ数がステープルマックスに達していると判断した場合、前記画像データ格納手段に格納されている先の原稿および追加原稿の全ての画像データを削除するかどうかの指示入力を促す指示入力手段をさらに備え、前記削除手段は、前記指示入力手段によって全画像データを削除すると指示入力された場合、前記画像データ格納手段に格納されている先の原稿および追加原稿の全ての画像データを削除することにより、前記第３の目的を達成する。
【０００６】
【発明の実施の形態】
以下、本発明の好適な実施の形態について図１ないし図５を参照して詳細に説明する。
図１は、本実施の形態に係る画像形成装置の構成を示した図である。なお、本実施の形態では画像形成装置の一例として、図１に示したようなディジタル複写機について説明する。
自動原稿送り装置（以下、ＡＤＦという）１にある原稿台２に原稿の画像面を上にして置かれた原稿束は、操作部３０上のプリントキー３２が押下されると（図２参照）、一番下の原稿から給送ローラ３、給送ベルト４によってコンタクトガラス６上の所定の位置に給送される。読み取りユニット５０によってコンタクトガラス６上の原稿の画像データを読み取り後、読み取りが終了した原稿は、給送ベルト４および排送ローラ５によって排出される。さらに、原稿セット検知７にて原稿台２に次の原稿があることを検知した場合、検知された次の原稿は、前の原稿と同様にコンタクトガラス６上に給送される。給送ローラ３、給送ベルト４、排送ローラ５はモータによって駆動されている。
【０００７】
第１トレイ８、第２トレイ９、第３トレイ１０に積載された転写紙は、各々第１給紙ユニット１１、第２給紙ユニット１２、第３給紙ユニット１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって排紙トレイに排出される。
後処理装置のフィニシャ１００は、本体の排紙ローラによって搬送された転写紙を通常排紙ローラ１０２方向と、ステープル処理部方向へに導くことができる。切り替え板１０１を上に切り替えることにより、搬送ローラ１０３を経由して通常排紙トレイ１０４側に排紙することができる。また、切り替え板１０１を下方向に切り替えることで、搬送ローラ１０５、１０７を経由して、ステープル台１０８に搬送することができる。
【０００８】
ステープル台１０８に積載された転写紙は、１枚排紙される毎に紙揃え用のジョガー１０９によって紙端面が揃えられ、一部のコピー完了とともにステープラ１０６によって綴じられる。ステープラ１０６で綴じられた転写紙群は、自動的にステープル完了排紙トレイ１１０に収納される。
一方、通常排紙トレイ１０４は前後に移動可能な排紙トレイである。前後に移動可能な通常排紙トレイ１０４は、原稿毎あるいは画像メモリによってソーティングされたコピー部毎に前後に移動し、簡易的に排出されてくるコピー紙を仕分けるものである。
転写紙の両面に画像を作像する場合は、各給紙トレイ８〜１０から給紙され、作像された転写紙を通常排紙トレイ１０４側に導かないで、経路切り替えのための分岐爪１１２を上側にセットすることで、一旦両面給紙ユニット１１１にストックすることができる。
【０００９】
両面給紙ユニット１１１にストックされた転写紙は、再び感光体１５に作像されたトナー画像を転写するために、両面給紙ユニット１１１から再給紙され、経路切り替えのための分岐爪１１２を下側にセットし、通常排紙トレイ１０４に導く。このように転写紙の両面に画像を作成する場合に両面給紙ユニット１１１は使用される。
感光体１５、搬送ベルト１６、定着ユニット１７、排紙ユニット１８、現像ユニット２７は、メインモータによって駆動され、各給紙装置１１〜１３はメインモータの駆動が各々給紙クラッチによって伝達駆動される。縦搬送ユニット１４はメインモータの駆動を中間クラッチによって伝達駆動される。
【００１０】
ここで、本実施の形態に係る画像形成装置における画像読み取りおよび画像を記録面上に潜像形成するまでの動作について説明する。なお、ここでの潜像とは、感光体１５の面上に画像を光情報に変換して照射することにより生じる電位分布をいうものとする。
読み取りユニット５０は、原稿を載置するコンタクトガラス６と光学走査系で構成されており、光学走査系は、露光ランプ５１、第１ミラー５２、レンズ５３、ＣＣＤイメージセンサ５４などで構成されている。露光ランプ５１および第１ミラー５２は図示しない第１キャリッジ上に固定され、第２ミラー５５および第３ミラー５６は図示しない第２キャリッジ上に固定されている。
原稿像を読み取るときには、光路長が変わらないように、第１キャリッジおよび第２キャリッジとが２対１の相対速度で機械的に走査される。この光学走査系は、図示しないスキャナ駆動モータにて駆動される。原稿画像は、ＣＣＤイメージセンサ５４によって読み取られ、電気信号に変換されて処理される。レンズ５３およびＣＣＤイメージセンサ５４を図１において左右方向に移動させることにより、画像倍率が変わる。すなわち、指定された倍率に対応してレンズ５３およびＣＣＤイメージセンサ５４の左右方向に位置が設定される。
【００１１】
書き込みユニット５７は、レーザ出力ユニット５８、結像レンズ５９、ミラー６０で構成され、レーザ出力ユニット５８の内部には、レーザ光源であるレーザダイオードおよびモータによって高速で定速回転する回転多面鏡（ポリゴンミラー）が備わっている。
レーザ出力ユニット５８より照射されるレーザ光は、定速回転するポリゴンミラーで偏光され、結像レンズ５９を通り、ミラー６０で折り返され、感光体１５の面上に集光結像する。
偏光されたレーザ光は、感光体１５が回転する方向と直行する方向（主走査方向）に露光走査され、画像処理部のセレクタより出力された画像信号のライン単位の記録を行う。感光体１５の回転速度と記録密度に対応した所定の周期で主走査を繰り返すことによって、感光体１５の面上に画像（静電潜像）が形成される。書き込みユニット５７から出力されるレーザ光は、画像作像系の感光体１５に照射される。図示しないが、感光体１５の一端近傍のレーザビームを照射される位置に主走査同期信号を発生するビームセンサが配置されている。この主走査同期信号をもとに主走査方向の画像記録開始タイミングの制御および画像信号の入出力を行うための制御信号の生成を行う。
【００１２】
図２は、画像形成装置の操作部を示した図である。操作部３０上には、コピーモードを設定するための複数のモードキーとコピー枚数を設定するための１０（テン）キー３１、コピー動作を行うためのプリントキー３２、コピー動作を中断させるストップキー３３、試し印刷を行う試し印刷キー３４、原稿追加挿入キー３５が配置されている。
モードキー３６には、倍率を変更する倍率キー、用紙を変更する用紙キー、濃度を変更する濃度キー、原稿の向きを設定する原稿方向キー、ステープルの設定をするステープルキー、ステープル位置を設定するステープル位置キー、印字モード設定キー、ユーザコードキー、表紙モード設定キー、章区切り設定キーなどがある。ユーザは、これらの様々なキーを操作してコピーモードを設定し、コピーを開始することができる。なお、章区切りモードは、ユーザが指定した原稿画像を印刷する時に、別途設定した章区切り用紙に印刷するモードである。また、表紙モードは、部の先頭および部の最終の用紙を別途設定した表紙トレイ用紙を使用するモードである。
印字モードは、ページを自動で刷り込むページ印字機能と、登録された絵柄を刷り込むスタンプ印字機能とがある。どちらも原稿の何枚目から印字開始するかを設定指示することができるようになっている。
【００１３】
印刷時にステープルモードを設定した場合、接続されているフィニッシャの種類、用紙サイズ、用紙種類などに基づいて、ステープルできる最大枚数が規定されている。この枚数を超えた場合には、ステープルマックスとしてステープルができないことがを操作部３０のモードキー３６内の表示部３６１に表示される。ユーザは、表示部３６１に表示された内容を確認することにより、ステープルマックスに達したことを認識することができる。なお、表示部３６１に表示するとともに、警告音を鳴らすことにより通知するようにしてもよい。ステープルマックスの判定は、片面、両面などの印刷モードと、原稿画像数から印刷開始前にも判断できるようになっている。
本実施の形態のディジタル複写機の場合、セットされた原稿を感光体に直接作像するのではなく、ＣＣＤ（光電変換素子）を通して内部メモリへ取り込むようになっている。この内部メモリは有限であり、読み取り動作により残量がなくなった場合には、メモリフル判定がなされ、読み込み動作が中断する。
【００１４】
リピートコピーでは、読み込むことにより取り込まれた画像データを使用して、感光体上に作像する。原稿は、原稿台の上に設置されたＡＤＦの上に置かれ、コピースタートと同時に逐次読み込み位置まで搬送され、走査後に排出される。原稿を走査する際には画像情報のほかに原稿サイズ、原稿方向の情報を内部バッファに記憶する。
用紙トレイ自動選択（ＡＰＳ）であれば、設定されたコピーモードと原稿サイズから必要な用紙トレイを判断する。用紙トレイ手動選択時にはユーザが手動で用紙トレイを選択する。表紙モードや章区切りモード、合紙挿入モードが選択されている場合には、本文の用紙トレイとは別にあらかじめ表紙トレイ、章区切り紙トレイも選択して設定する。
【００１５】
印刷および用紙搬送を実現するディジタル複写機のソフトウエアは、上述したようなコピーモードを各用紙面単位に分割し実行する。制御プログラム上、この用紙面ごとの単位をプロセスと呼んでいる。印刷プロセスを作成し、エンジン制御プログラムに対して発行することにより、紙搬送制御や印刷動作が実現される。印刷が完了すると、プロセス実行終了の応答が発生する。すなわち、すべてのプロセスを実行すると印刷が終了するということになる。なお、原稿束の終了は、ＡＤＦによって自動的に判断できるようにしてもよいし、ユーザが手動で原稿束の終了を指示するようにしてもよい。
ユーザコードモードは、各ユーザを識別する任意の番号の入力を促し、ユーザ別に使用回数や印刷枚数を管理するモードである。
【００１６】
スキャンした原稿を置く向きを設定する原稿向き指定モードは、ユーザから見て原稿に書かれている内容が読める方向で機械にセットする場合、読める向きという設定を選択して原稿をセットする。一方、時計回りに２７０度回転させてセットする場合、読めない向きという設定を選択して原稿をセットする。これにより、例えば、Ａ３原稿のように、ＡＤＦまたはコンタクトガラス上に一方向にしかセットできない原稿に対しても、読み取りの画像向きを踏まえた印刷をすることができる。
操作部３０上の原稿追加挿入キー３５を押下することにより、全原稿読み込み完了後に原稿追加挿入が可能となる。原稿画像追加の具体的な説明は省略するが、追加した原稿画像は、読み込み済みの原稿画像に後付けしてもよいし、任意のページに挿入されてもかまわないものとする。
【００１７】
次に、原稿を追加挿入した結果、ステープルマックスが発生した場合のディジタル複写機の動作について説明する。
図３は、追加した原稿画像を破棄して印刷を開始する処理手順を示したフローチャートである。
ディジタル複写機の電源が投入され、ジョブ開始となると（ステップ３００）、原稿台上の原稿束がＡＤＦによって自動的にコンタクトガラス上に１ページずつ搬送され、原稿読み取りが開始される（ステップ３０１）。原稿台上の原稿束すべての原稿読み取りが終了し（ステップ３０２；Ｙ）、ユーザによって操作部３０の原稿追加挿入キー３５が押下され、追加原稿モードが設定された場合（ステップ３０３；Ｙ）、原稿追加の動作に移行する。追加原稿がＡＤＦによって自動的にコンタクトガラス上に１ページずつ搬送され、追加原稿の読み取りが開始される（ステップ３０４）。
追加原稿の読み取りを行っているときに、読み取られた原稿枚数がステープルマックスに達したと検知された場合（ステップ３０５；Ｙ）、メモリに蓄積されているステープルマックスに達したと検知された追加原稿の画像を破棄し（ステップ３０７）、ステープルマックスに達する前までの原稿画像の印刷を開始して処理を終了する（ステップ３０８）。
【００１８】
一方、追加原稿の読み取りを行っているときに、読み取られた原稿枚数がステープルマックスに達することなく（ステップ３０５；Ｎ）、すべての追加原稿の読み込みが終了した場合（ステップ３０６；Ｙ）、メモリに蓄積された原稿画像の印刷を開始して処理を終了する（ステップ３０８）。
なお、図示は省略するが、追加原稿が破棄された場合、その旨を操作部３０の表示部３６１に、例えば、「追加原稿を削除しました」というように表示し、ユーザに通知するようにしてもよい。
以上のように、本実施の形態のディジタル複写機では、全原稿の読み取り完了後の原稿画像追加中にステープルマックスを検知した場合、追加した原稿画像を破棄または印刷しないようにするので、ユーザの希望したものと印刷結果の仕上がりが異なるというようなことを防止し、ミスコピーを容易に発生させないようにすることができる。
【００１９】
図４は、追加した原稿画像を破棄し、再度追加原稿の読み込み可能な状態にする処理手順を示したフローチャートである。
ディジタル複写機の電源が投入され、ジョブ開始となると（ステップ４００）、原稿台上の原稿束がＡＤＦによって自動的にコンタクトガラス上に１ページずつ搬送され、原稿読み取りが開始される（ステップ４０１）。原稿台上の原稿束すべての原稿読み取りが終了し（ステップ４０２；Ｙ）、ユーザによって操作部３０の原稿追加挿入キー３５が押下され、追加原稿モードが設定された場合（ステップ４０３；Ｙ）、原稿追加の動作に移行する。追加原稿がＡＤＦによって自動的にコンタクトガラス上に１ページずつ搬送され、追加原稿の読み取りが開始される（ステップ４０４）。
【００２０】
追加原稿の読み取りを行っているときに、読み取られた原稿枚数がステープルマックスに達したと検知された場合（ステップ４０５；Ｙ）、メモリに蓄積されているステープルマックスに達したと検知された追加原稿の画像を破棄し（ステップ４０６）、追加原稿モードを再設定するかどうかの問い合わせを表示部３６１に表示し、追加原稿の読み込みが可能な状態で待機する。ここで、ユーザが追加原稿モードの設定を解除した場合（ステップ４０３；Ｎ）、先に読み取られた原稿画像の印刷を開始して処理を終了する（ステップ４０８）。
一方、追加原稿の読み取りを行っているときに、読み取られた原稿枚数がステープルマックスに達することなく（ステップ４０５；Ｎ）、すべての追加原稿の読み込みが終了した場合（ステップ４０７；Ｙ）、メモリに蓄積された原稿画像の印刷を開始して処理を終了する（ステップ４０８）。
以上のように、本実施の形態のディジタル複写機では、全原稿の読み取り完了後の原稿画像追加中にステープルマックスを検知した場合、追加した原稿画像を破棄し、再度追加原稿の読み込みが可能な状態にすることができるので、原稿画像追加により仕上がりが異ならない範囲で容易に原稿追加を実行することができる。
【００２１】
図５は、最初から原稿読み込みを実施するように警告を操作部に表示する処理手順を示したフローチャートである。
ディジタル複写機の電源が投入され、ジョブ開始となると（ステップ５００）、原稿台上の原稿束がＡＤＦによって自動的にコンタクトガラス上に１ページずつ搬送され、原稿読み取りが開始される（ステップ５０１）。原稿台上の原稿束すべての原稿読み取りが終了し（ステップ５０２；Ｙ）、ユーザによって操作部３０の原稿追加挿入キー３５が押下され、追加原稿モードが設定された場合（ステップ５０３；Ｙ）、原稿追加の動作に移行する。追加原稿がＡＤＦによって自動的にコンタクトガラス上に１ページずつ搬送され、追加原稿の読み取りが開始される（ステップ５０４）。
追加原稿の読み取りを行っているときに、読み取られた原稿枚数がステープルマックスに達したと検知された場合（ステップ５０５；Ｙ）、全原稿画像を読み直すかどうかの問い合わせを表示部３６１に表示し、ユーザによる指示の入力を待機する（ステップ５０８）。ここで、メモリに蓄積されたステープルマックスに達したと検知されるまでの全原稿画像の読み直しが設定された場合（ステップ５０８；Ｙ）、全原稿画像を破棄し（ステップ５０９）、ステップ５０１へ戻り、原稿を読み直し始める。一方、全原稿画像の読み直しが設定されなかった場合（ステップ５０８；Ｎ）、それまでに読み取られた原稿画像の印刷を開始して処理を終了する（ステップ５０７）。
【００２２】
また、追加原稿の読み取りを行っているときに、読み取られた原稿枚数がステープルマックスに達することなく（ステップ５０５；Ｎ）、すべての追加原稿の読み込みが終了した場合（ステップ５０６；Ｙ）、メモリに蓄積された原稿画像の印刷を開始して処理を終了する（ステップ５０７）。
なお、操作部３０の表示部３６１に表示される「全原稿画像を読み直しますか」などの警告表示は、専用のＬＥＤ（発光ダイオード）を点滅や点灯させることでユーザに通知するようにしてもよい。また、液晶表示に文字または図を表示することによって、ユーザに通知するようにしてもよい。表示部３６１の表示を見たユーザは、それまで読み取られた原稿画像の印刷を強行するように選択してもよいし、全画像を破棄するように選択することもできる。
以上のように、本実施の形態のディジタル複写機では、追加原稿の読み取りをした結果、ステープルマックスとなり、ステープルができなくなった場合、警告表示をして最初から原稿を読み直すように促すので、ユーザの選択肢を増やすことができ、ミスコピーを防止することができる。
【００２３】
【発明の効果】
請求項１記載の発明では、印刷手段は、判断手段が計数手段によって計数されたページ数がステープルマックスに達していると判断した場合、追加原稿の画像データは印刷しないので、ユーザが希望する仕上がりと印刷結果が異なってしまうことを防止し、ミスコピーを容易に発生させないようにすることができる。
【００２４】
請求項２記載の発明では、判断手段が計数手段によって計数されたページ数がステープルマックスに達していると判断した場合、画像データ読取手段によって読み取られた追加原稿の画像データを画像データ格納手段から削除する削除手段をさらに備えたので、原稿画像追加によって仕上がりが異ならない範囲での原稿追加が容易にできるようになる。
【００２５】
請求項３記載の発明では、削除手段は、指示入力手段によって全画像データを削除すると指示入力された場合、画像データ格納手段に格納されている全ての画像データを削除するので、最初から原稿を読み直す警告表示に応じてユーザの選択枝を増やすことができ、ミスコピーを防止することができる。
【図面の簡単な説明】
【図１】本実施の形態に係る画像形成装置の構成を示した図である。
【図２】画像形成装置の操作部を示した図である。
【図３】追加した原稿画像を破棄して印刷を開始する処理手順を示したフローチャートである。
【図４】追加した原稿画像を破棄し、再度追加原稿の読み込み可能な状態にする処理手順を示したフローチャートである。
【図５】最初から原稿読み込みを実施するように警告を操作部に表示する処理手順を示したフローチャートである。
【符号の説明】
３０      操作部
３１      １０（テン）キー
３２      プリントキー
３３      ストップキー
３４      試し印刷キー
３５      原稿追加挿入キー
３６      モードキー
【図１】
0003866952.tif 000002
【図２】
0003866952.tif 000003
【図３】
0003866952.tif 000004
【図４】
0003866952.tif 000005
【図５】
0003866952.tif 000006